(57)【要約】【課題】点灯時に放熱効果を高め、使用寿命を伸ばすＬＥＤ電球を提供する。【解決手段】ＬＥＤ電球は主に、座体、座体の上部に結合するカバー、及び座体の底部に結合する口金を含む。その内、座体の外側には、上から下に間隔をあけて配列し尚且つ環状片体形状をなす複数のフィンと、各フィンに連接し尚且つ上から下に垂直に延伸する複数のウイングを含む。座体の中心には貫通孔を設け、貫通孔の上部に放射状片体を設け、座体の上部には回路板を設け、回路板には間隔をあけて配列した複数のＬＥＤを設け、ＬＥＤは導入線を介して口金に連結される。回路板が電源を導入しＬＥＤが点灯した時、座体のフィンとウイングにより放熱面積が拡大し、その貫通孔の放射状片体の伝熱によって、放熱効果が向上する。【選択図】図５
0003177628.tif 000002
【実用新案登録請求の範囲】
【請求項１】
座体、座体の上部に結合するカバー、及び座体の底部に結合する口金を含むＬＥＤ電球において、
前記座体の上部縁には回路板を配置するための環状の突出部を設け、回路板には複数のＬＥＤを間隔をあけて配列し、ＬＥＤは導入線を介して口金に接続され、使用時には口金によって電源が導入された後、導入線を介して回路板に出力されてＬＥＤが点灯し、
前記座体の外側には、上から下に間隔をあけて配列し尚且つ環状片体形状をなす複数のフィンと、各フィンに連接し尚且つ上から下に垂直に延伸する複数のウイングを含み、座体の中心には貫通孔を設け、貫通孔上部の上端に近い箇所には少なくとも一つの円形状部を設け、円形状部からは放射状片体を延伸させ、ＬＥＤ作業時には、座体のフィンとウイングにより放熱面積が拡大され、尚且つＬＥＤ電球の使用寿命を延長することを特徴とするＬＥＤ電球。
【請求項２】
座体の外部に設けた前記フィンは、上から下方向に径が徐々に小さくなるよう配列することを特徴とする請求項１に記載のＬＥＤ電球。
【請求項３】
座体の外部に設けた前記ウイングは、十字状に配列することを特徴とする請求項１に記載のＬＥＤ電球。
【請求項４】
座体の外部に設けた前記ウイングは、上方の幅が比較的広く下方が比較的狭くなるように徐々に縮小することを特徴とする請求項１に記載のＬＥＤ電球。
【請求項５】
前記口金にはカップ体を設け、カップ体の上部には嵌入管を設け、カップ体の下部には螺合部を設け、口金は嵌入管を用いて座体の底部に挿設され、カップ体によって定位されることを特徴とする請求項１に記載のＬＥＤ電球。
【考案の詳細な説明】
【技術分野】
【０００１】
本考案は、特に、電球を点灯時に放熱効果を高め、電球の使用寿命を伸ばすＬＥＤ電球に関する。
【背景技術】
【０００２】
一般に、照明設備の光源は通常、蛍光灯や普通の電球によって構成される。従来の電球は、その消費電力が比較的高いため、長時間使用すると使用者或いは関連部門の経済的負担となり、処分時には環境保護の要求に基づかないものとなる。よって、近年、その開発に成功がみられるＬＥＤ電球は、従来型ＬＥＤ電球にある電球の電力消耗問題を改善したものの、使用上の照明輝度及び作業時の温度については更に考慮が必要とされる。特に、効果的な放熱構造はＬＥＤ電球の使用寿命を決定し、さもなくば高輝度照明の従来型蛍光灯や電球を代替するのは難しく、しかも環境保護の要求を達成するのは困難となる。
【考案の概要】
【考案が解決しようとする課題】
【０００３】
本考案の主な目的は、ＬＥＤ電球を点灯時にその放熱効果を高め、さらに電球の使用寿命を延長する、ＬＥＤ電球の提供にある。
【課題を解決するための手段】
【０００４】
本考案の提供するＬＥＤ電球は、座体、座体の上部に結合するカバー、及び座体の底部に結合する口金を含む。その内、座体の外側には、上から下に間隔をあけて配列し尚且つ環状片体形状をなす複数のフィンと、各フィンに連接し尚且つ上から下に垂直に延伸する複数のウイングを含む。座体の中心には貫通孔を設け、貫通孔の上部に放射状片体を設け、座体の上部には回路板を設け、回路板には間隔をあけて配列した複数のＬＥＤを設け、ＬＥＤは導入線を介して口金に連結される。回路板が電源を導入しＬＥＤが点灯した時、座体のフィンとウイングにより放熱面積が拡大され、しかも、その貫通孔の放射状片体の伝熱によって放熱効果が向上する。
【０００５】
前記ＬＥＤ電球において、フィンに連接するウィングは十字形をなして配列する。
【考案の効果】
【０００６】
本考案の外側にはフィンとウイングを備える座体を設け、座体中心の放射状片体を組み合わせることにより、ＬＥＤ電球をつける時はその放熱効果を高め、電球の使用寿命を延長することができる。
【図面の簡単な説明】
【０００７】
【図１】本考案の立体図である。
【図２】本考案の座体の一部断面図である。
【図３】本考案の立体分解図である。
【図４】本考案の側面図である。
【図５】本考案の断面図である。
【図６】本考案の放熱実施例図である。
【図７】本考案のもう一つの実施例図である。
【考案を実施するための形態】
【０００８】
図１、図２、図３、及び図４に、本考案の立体図、座体の一部断面図、立体分解図、及び側面図を示す。図に示すとおり、本考案は座体１、座体１の上部に結合するカバー２、及び座体１底部に結合する口金３を含む。その内、座体１の外側には上から下に間隔をあけて配列し尚且つ環状片体形状をなす複数のフィン１１と、各フィン１１に連接し、上から下に垂直に延伸する複数のウイング１２を含む。本実施例において、フィン１１は上から下方向に徐々に径の小さくなるよう配列し、ウイング１２は十字状に配列し、尚且つフィン１１に合わせて上方を広くし下方を狭くして徐々に縮小するよう配置する。
【０００９】
座体１の中心には貫通孔１３を設け、貫通孔１３の上部の上端に近い箇所には少なくとも一つの円形状部１４１を設け、円形状部１４１からは放射状片体１４を延伸させ、放射状片体１４によって座体１上部縁の内面が支えられる。座体１の上部縁の表面には環状の突出部１５を設け、突出部１５には放熱剤を塗布し、回路板１６を配置する。回路板１６には複数のＬＥＤ１７を間隔をあけて配列し、ＬＥＤ１７は導入線１８を介して口金３に連結される。
【００１０】
カバー２は半球状をなし、その底部には嵌合部２１を設け、座体１の突出部１５に嵌合定位させる。
口金３にはカップ体３１を設け、カップ体３１の上部には嵌入管３２を設け、カップ体３１の下部には螺合部３３を設け、口金３は嵌入管３２を用いて座体１の底部に挿設され、カップ体３１によって定位される。
【００１１】
前記構成要素によりＬＥＤ電球１００が構成される。使用時には口金３の螺合部３３をソケットに螺着固定し、電源を入れると、導入線１８を介して回路板１６に出力されてＬＥＤ１７が点灯し、従来型電球を代替する照明効果が得られる。ＬＥＤ１７の作業時には、座体１のフィン１１及びウイング１２によって放熱面積が拡大し、貫通孔の放射状片体１４の伝熱によって放熱効果が高まり、ＬＥＤ電球１００の使用寿命も延長される。
【００１２】
図５に本考案の断面図を示す。図に示すとおり、本考案を組み立てた後、その内の回路板１６は座体１上部の突出部１５に配置されるため、ＬＥＤ１７は導入線１８を介して口金３に接続される。カバー２はその底部の嵌合部２１を座体１の突出部１５に嵌合して定位させる。口金３は座体１の底部に固定し、構成されるＬＥＤ電球１００は従来型電球のデザイン及び形態であり、使用時は従来型電球の通り、口金３の螺合部３３によってソケットに螺着固定する。
【００１３】
図６には本考案の放熱実施例図を示す。図４に示すとおり、本考案を使用する時は、口金３の螺合部３３をソケットに螺着固定すると、電源は導入線１８を介して回路板１６に出力され、各ＬＥＤ１７を点灯する。ＬＥＤ１７を点灯し、作業によって高温を生じると、該高温は座体１に沿って下方向に広がり、座体１の外側のフィン１１とウイング１２から放熱される。フィン１１は上から下方向に間隔をあけて配列し、尚且つ環状片体状をなし、ウイング１２は上から下方向に垂直に延伸し、これにより放熱面積が拡大される。座体１中心には円形状部１４１と放射状片体１４が設けられ、高温は放射状片体１４の伝熱、放熱作用によって更に平均化され、よって、放熱効果が向上し、電球の使用寿命はさらに延長される。
【００１４】
図７には本考案のもう一つの実施例図を示す。図に示すとおり、本考案のもう一つの構成方式は、まずアルミ素材尚且つ概ねＴ字状をなす中心体Ａを製作し、同様に中心体Ａには貫通孔１３ａと放射状片体１４ａを設け、並びに、上部表面には環状の突出部１５ａを設け、さらに包覆射出成型方式によって座体１が中心体Ａを包み込む方式である。これにより、異なる材質の中心体Ａはさらに好ましい放熱効果を発揮するため、ワット数の比較的高い電球に適用する。中心体Ａをしっかり固定するために、その周囲縁には鋸歯状を設けてあり、噛み合わせ度を高めることができる。
【００１５】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００１６】
１            座体
１１            フィン
１２            ウイング
１３            貫通孔
１３ａ          貫通孔
１４            放射状片体
１４ａ          放射状片体
１５            突出部
１５ａ          突出部
Ａ            中心体
１６            回路板
１７            ＬＥＤ
１８            導入線
２            カバー
２１            嵌合部
３            口金
３１            カップ体
３２            嵌入管
３３            螺合部
１００          ＬＥＤ電球
１４１          円形状部
【図１】
0003177628.tif 000003
【図２】
0003177628.tif 000004
【図３】
0003177628.tif 000005
【図４】
0003177628.tif 000006
【図５】
0003177628.tif 000007
【図６】
0003177628.tif 000008
【図７】
0003177628.tif 000009